(57)【要約】【課題】皮内組織の所望とする箇所に薬液を安全に注入できる経皮投薬装置を提供する。【解決手段】注射器６の先端部に取り付けられる薬液注入針１である。薬液注入針１は、ほぼ円筒状の薬液注入針の本体１０と、本体１０の先端部から前方へ延出された突出部１４と、突出部１４の先端表面より突出する複数本の針１１とを有する。複数本の針１１が一列に配列されている。各針１１に形成された薬液吐出口１３が同方向を向いている。突出部１４の外面に本体１０の外面を切欠して設けられた第１の面１７が形成され、複数本の針１１の薬液吐出口１３の向きが第１の面１７が面する側の反対側を向いている。【選択図】図１
2014042616.tif 000002
【特許請求の範囲】
【請求項１】
注射器の先端部に取り付けられる薬液注入針であって、
該薬液注入針は、ほぼ円筒状の薬液注入針の本体と、該本体の先端部から前方へ延出された突出部と、該突出部の先端表面より突出する複数本の針とを有し、
該複数本の針の先端が該針の長手方向に対して斜めに切断されて針の先端に薬液の吐出口が形成され、
該複数本の針が一列に配列されていると共に、各針に形成された薬液吐出口が同方向を向き、
該突出部の外面に、該本体の外面を切欠して設けられた第１の面が形成され、
該複数本の針の薬液吐出口の向きが、該第１の面が面する側の反対側を向いている薬液注入針。
【請求項２】
前記突出部の外面に、前記第１の面と対向する側に、該本体の外面を切欠して設けられた第２の面が形成され、該第１の面と第２の面はほぼ平行に形成されている、請求項１に記載の薬液注入針。
【請求項３】
前記薬液注入針の本体の断面の外形はほぼ円形であり、前記突出部の断面の外形はほぼ長方形又は長円である、請求項２に記載の薬液注入針。
【請求項４】
前記針の最大外径が０．1〜０．６ｍｍである、請求項１〜３のいずれかに記載の薬液注入針。
【請求項５】
前記複数本の針は３本であり、該３本の針が一列に配列され、かつ該針に形成された薬液吐出口が同方向を向いている、請求項１〜４のいずれかに記載の薬液注入針。
【請求項６】
薬液が充填される注射器と、該注射器の先端部に取り付けられる薬液注入針と、を有する経皮投薬装置であって、
該薬液注入針は、ほぼ円筒状の薬液注入針の本体と、該本体の先端部から前方へ延出された突出部と、該突出部の先端表面より突出する複数本の針とを有し、
該複数本の針の先端が該針の長手方向に対して斜めに切断されて針の先端に薬液の吐出口が形成され、
該複数本の針が一列に配列されていると共に、各針に形成された薬液吐出口が同方向を向き、
該突出部の外面に、該本体の外面を切欠して設けられた第１の面が形成され、
該複数本の針の薬液吐出口の向きが、該第１の面が面する側の反対側を向いている経皮投薬装置。
【発明の詳細な説明】
【技術分野】
【０００１】
本発明は、薬液を経皮投与するための経皮投薬装置と、この経皮投薬装置に使用される薬液注入針に関する。
【背景技術】
【０００２】
経口投与できない薬液の人体投与には注射器が用いられる。注射器による投与は痛みを伴う。また、薬液を含むパッチ剤などによる経皮投与も薬効の発現に時間を要し、かつ使用可能な薬液の種類には限りがある。
【０００３】
これらの問題を解決するため、極小の直径の針を用いて、針の穿刺による痛みを軽減した経皮投薬装置が提案されている。しかし、針の径を小さくすると、薬液の注射時の流通抵抗が上昇する。特に、粘性のある高分子量の薬液を注射する場合には、注射器のプランジャを押圧操作するときの抵抗が大きい。
【０００４】
そこで、薬液の注射時の流通抵抗を下げるために、特表２００５−５２７２４９号公報（特許文献１）、特開２００５−８７５２１号公報（特許文献２）、および特開２００３−１３５５９８号公報（特許文献３）では、小さい直径の針を複数本用いた経皮投薬装置が提案されている。
【０００５】
しかし、これらの経皮投薬装置では、注射針を皮膚に対して垂直に穿刺することになる。そのため、患者によって表皮、真皮など皮内組織の厚さが異なるので、目的とする箇所へ薬液を注入することができない場合がある。比較的長い針を用い、使用者（医者、看護士）の手技によって皮膚へ穿刺する針の深さを調整することも考えられるが、そのような場合には、注射針の先端が誤って神経末端や血管などに到達するおそれがある。
【０００６】
注射針の先端が、神経末端や血管などに到達することを防止するために、特開２００８−２２８９９３号公報（特許文献４）には、薬液を注入する針本体の先端部分が延出方向に向かって湾曲して形成された注射針が提案されている。
【０００７】
しかし、この注射針では、注射器の挿入方向と注射針の湾曲方向とが異なるために、注射針の先端を皮内または皮下の目的とする位置へ挿入することが難しい。すなわち、注射針を皮膚へ差し込み始める段階では、注射器を皮膚に対して所定角度で保持し、注射針を差し込むに連れて注射器の傾斜角度を徐々に変えることが必要となる。また、このような注射針を製作するには、針の先端を正確に湾曲加工することが必要となり、製作コストが高くなるという欠点もある。
【先行技術文献】
【特許文献】
【０００８】
【特許文献１】特表２００５−５２７２４９号公報
【特許文献２】特開２００５−８７５２１号公報
【特許文献３】特開２００３−１３５５９８号公報
【特許文献４】特開２００８−２２８９９３号公報
【発明の概要】
【発明が解決しようとする課題】
【０００９】
本発明は上記課題を解決するためになされたもので、注射時の痛みを伴うことがなくかつ薬液の流入抵抗を軽減させながら、患者に応じて、皮内組織に安全に薬液を送ることができる経皮投薬装置およびその装置に使用される薬液注入針を提供することを目的とする。
【００１０】
本発明の他の目的は、薬液注入針を傾けて針先端を皮膚表面に突き刺すことができ、薬液注入針の先端が神経末端や血管などに到達することを防止できる経皮投薬装置および薬液注入針を提供することを目的とする。
【００１１】
本発明のさらに他の目的は、従来に比べて安価に作製できる経皮投薬装置および薬液注入針を提供することを目的とする。
【課題を解決するための手段】
【００１２】
前記課題を解決するため、本発明は以下を特徴とする。
（項目１）注射器の先端部に取り付けられる薬液注入針であって、
該薬液注入針は、ほぼ円筒状の薬液注入針の本体と、該本体の先端部から前方へ延出された突出部と、該突出部の先端表面より突出する複数本の針とを有し、
該複数本の針の先端が該針の長手方向に対して斜めに切断されて針の先端に薬液の吐出口が形成され、
該複数本の針が一列に配列されていると共に、各針に形成された薬液吐出口が同方向を向き、
該突出部の外面に、該本体の外面を切欠して設けられた第１の面が形成され、
該複数本の針の薬液吐出口の向きが、該第１の面が面する側の反対側を向いている薬液注入針。
（項目２）前記突出部の外面に、前記第１の面と対向する側に、該本体の外面を切欠して設けられた第２の面が形成され、該第１の面と第２の面はほぼ平行に形成されている、項目１に記載の薬液注入針。
（項目３）前記薬液注入針の本体の断面の外形はほぼ円形であり、前記突出部の断面の外形はほぼ長方形又は長円である、項目１または２に記載の薬液注入針。
（項目４）前記針の最大外径が０．1〜０．６ｍｍである、項目１又は２に記載の薬液注入針。
（項目５）前記複数本の針は３本であり、該３本の針が一列に配列され、かつ該針に形成された薬液吐出口が同方向を向いている、項目１〜４のいずれかに記載の薬液注入針。
（項目６）薬液が充填される注射器と、該注射器の先端部に取り付けられる薬液注入針と、を有する経皮投薬装置であって、
該薬液注入針は、ほぼ円筒状の薬液注入針の本体と、該本体の先端部から前方へ延出された突出部と、該突出部の先端表面より突出する複数本の針とを有し、
該複数本の針の先端が該針の長手方向に対して斜めに切断されて針の先端に薬液の吐出口が形成され、
該複数本の針が一列に配列されていると共に、各針に形成された薬液吐出口が同方向を向き、
該突出部の外面に、該本体の外面を切欠して設けられた第１の面が形成され、
該複数本の針の薬液吐出口の向きが、該第１の面が面する側の反対側を向いている経皮投薬装置。
【発明の効果】
【００１３】
本発明の経皮投薬装置に使用される薬液注入針は、薬液注入針本体の先端部に形成された突出部の先端表面より複数本の針が一列に配列して突出し、該突出部の外面に、該本体の外面を切欠して設けられた第１の面が形成され、複数本の針の先端に形成された薬液吐出口の向きが該第１の面が向く方向とは反対側を向いていることにより、薬液を皮内組織（表皮、真皮など）へ注射する際には、第１の面を皮膚側に配置し薬液吐出口を使用者（医者、看護士など）側へ向けた状態で、薬液注入針を傾けて針先端を皮膚表面に突き刺し、薬液注入針の先端で皮膚をやや持ち上げた状態とし、そしてその状態で針を皮内組織（表皮、真皮など）の所望の位置へ突き刺すことができる。このように、患者の表皮、真皮など皮内組織の厚さに応じて注射器を十分に傾斜させた状態で穿刺することができ、針先端が神経末端や血管などに到達して傷付けることを防止できる。また、従来のように針先を湾曲させることもないので、作製費用が安価である。
【図面の簡単な説明】
【００１４】
【図１】注射器の先端に本発明の一実施形態の薬液注入針を取り付ける状態の正面図である。
【図２】本発明の一実施形態の薬液注入針の斜視図である。
【図３】本発明の一実施形態の薬液注入針の正面図である。
【図４】本発明の一実施形態の薬液注入針の平面図である。
【図５】本発明の一実施形態の薬液注入針の右側面図である。
【図６】本発明の一実施形態の薬液注入針の左側面図である。
【図７】本発明の一実施形態の薬液注入針のＡ−Ａ線断面図である。
【図８】本発明の一実施形態の薬液注入針を皮膚に突き刺している状態の説明図である。
【図９】本発明の他の実施形態の薬液注入針の正面図である。
【図１０】本発明のさらに他の実施形態の薬液注入針の正面図である。
【発明を実施するための形態】
【００１５】
以下、本発明の実施の形態について図面を参照しながら詳細に説明する。
【００１６】
図１に示すように、本発明の経皮投薬装置５は、薬液が充填される注射器６と、該注射器６の先端部に取り付けられる薬液注入針１と、を有する。
【００１７】
注射器６は、注射器本体７と、該注射器本体７内に挿入されるプランジャ８と、注射器本体７の先端部に形成されたルアーロック部２０とを有する。ルアーロック部２０は、外筒２１と内筒２２とを有し、該外筒２１の内面にねじが形成されている。
【００１８】
図２〜図７に示すように、薬液注入針１は、ほぼ円筒状の薬液注入針の本体１０と、該本体１０の先端部から前方へ延出された突出部１４と、該突出部１４の先端表面より突出する複数本の針１１とを有する。
薬液注入針本体１０は、基端部が開口する円筒状に形成され、その基端部に、上記ルアーロック部２０と係合し得るフランジ１２が形成されている。
【００１９】
該突出部１４の外面に、該本体１０の外面を切欠して設けられた第１の面１７が形成され、前記第１の面１７と対向する側に、該本体１０の外面を切欠して設けられた第２の面１８が形成されている。該第１の面１７と第２の面１８はほぼ平行に形成されている。該第１の面１７と第２の面１８との間の寸法は、該本体１０の外径より小さく設定されている。
【００２０】
該薬液注入針本体１０の断面の外形はほぼ円形であり、前記突出部１４の断面の外形は、ほぼ長方形または小判状である。突出部１４の先端の角部にアールが形成されている。
薬液注入針本体１０の突出部１４には、針１１を通すための通孔１６が複数形成されている。この通孔１６は、該本体１０の内部に形成された空間部１９と連通している。
【００２１】
図７に示すように、本実施形態では、通孔１６は針１１の本数に応じて３つ形成されている。この通孔１６は２つあるいは４つ以上でも良い。この通孔１６内に針１１が挿入されて接着剤などの固着部材によって針１１は薬液注入針１の突出部１４に固着されている。なお、針１１の固着方法は接着に限らず、例えば、融着（熱融着、超音波融着、高周波融着）等の方法を用いてもよい。突出部１４の先端部の表面に、通孔１６の周囲において凹部１５を形成してもよい。凹部１５を形成することにより、流動性を有する接着剤をこの凹部１５を通して通孔１６内に塗布することができる。
【００２２】
針１１の構成材料としては、限定するものではないが、ステンレス鋼、アルミニウムまたはアルミニウム合金、チタンまたはチタン合金等の金属材料、プラスチック材料等が挙げられる。また、薬液注入針１の本体１０は、ポリカーボネート、ポリプロピレン、ＡＢＳ樹脂、ポリスチレン等の熱可塑性樹脂を材料として、射出成形等により製造することができる。
【００２３】
この実施形態では、薬液注入針１の突出部１４から突出する複数の針１１の本数は３本であるが、２本でも４本以上でもよい。好ましくは２〜５本である。薬液注入針１の表面から突出する針１１の突出寸法は、０．１〜１５ｍｍが好ましく、３〜１２ｍｍがより好ましく、５〜１０ｍｍが最も好ましい。針１１の最大外径は、０．1〜０．６ｍｍが好ましく、０．１〜０．４ｍｍがさらに好ましい。
【００２４】
特に、針の外径は、３１Ｇ〜３５Ｇのものが好ましい。
針１１の先端は、管状部材を斜めに切断した形状をしている（図３および図４）。針１１の先端の切断された切断面の角度は、針１１の長手方向に対して１０度〜５０度が好ましい。典型的には、針の先端に形成された斜めの切断面は、針の長手方向に対して第１の切断面が斜めに形成され、この第１の切断面のほぼ中間点からさらに斜めに切断されて第１の切断面に連続する第２の切断面が形成されているものである。ここで、針の先端が針の長手方向に対して斜めに切断されているとは、このように針の長手方向に対して斜めに第１の切断面が形成され、さらにこの第１の切断面から斜めに第２の切断面が形成されたものなどを含めるものとする。このように針を構成する管状部材が切断されて針１１の先端に薬液の吐出口１３が形成されている。
【００２５】
図３および図４に示すように、突出部１４の先端に３本の針が一列に配列され、かつ該針に形成された薬液吐出口１３が同方向を向いている。この複数本の針の薬液吐出口１３の向きは、該第１の面１７が面する方向とは逆方向を向いている。
【００２６】
つまり、突出部１４の厚みが薄くなっている側を、薬液突出口１３が向いている。
【００２７】
次に、本発明の経皮投薬装置５の使用方法を説明する。
【００２８】
注射器６の先端に形成されたルアーロック部２０を、薬液注入針１のフランジ１２に係合させ、この状態で注射器６を回転させる。注射器６のルアーロック部２０と薬液注入針１のフランジ１２が係合する。図８に示すように、突出部１４の第１の面１７側を皮膚Ｓ側に向けて、薬液注入針１の付いた注射器６を皮膚表面に対して傾斜させ、薬液注入針１の先端を皮膚Ｓに突き刺し、皮膚Ｓをやや持ち上げた状態とし、薬液注入針１を皮膚Ｓに突き刺す。突出部１４の第１の面１７が本体１０の外面を切欠して形成されていることにより、このように薬液注入針１を皮膚表面に対して十分に傾斜させることができる。また、突出部１４の第１の面１７を皮膚Ｓ側に配した場合、薬液注入針１の薬液吐出口１３は、皮膚Ｓとは反対側（使用者側）を向く。従って、薬液注入針１の先端を皮膚表面に突き刺して皮膚表面を持ち上げ、この状態で皮内組織（表皮、真皮など）に薬液を注射することができると共に、使用者は針先の位置を目視で容易に確認することができる。
【００２９】
その後、通常の方法に従って、注射器６のプランジャ８を押圧操作することにより、注射器６内の薬液は薬液注入針１の空間部１９内へ入り、さらに薬液注入針１の各針１１を通して薬液吐出口１３から押し出される。
【００３０】
経皮投薬装置５で使用される薬液は、典型的には、薬剤を含有する溶液、ゲルまたは懸濁液である。使用可能な薬剤は、経皮的な投与に適さない薬剤以外であれば実質的に制限されない。
【００３１】
図９は他の実施例を示している。上記実施例では、突出部１４の外面に第１の面１７および第２の面１８を形成し、第１の面１７および第２の面１８がほぼ平行となるようにしたが、第１の面１７だけを形成してもよい。
【００３２】
この実施例では、第１の面１７の反対側に、本体１０の外面から連続する半円筒状の面２４が形成されている。この半円筒状の面２４を使用者側にして注射器を傾斜させればよい。
【００３３】
図１０に示すように、突出部１４の外面に形成した第１の面１７として、本体１０の外面から連続する傾斜面としてもよい。
【産業上の利用可能性】
【００３４】
本発明の経皮投薬装置を用いることにより、注射器を傾斜させた状態として、薬剤や化粧品等を皮膚内の所望の位置に経皮投与することができ、また痛みを伴うこともない。また、本発明の注射針は、粘度の高い、分子量の大きい薬液・薬剤を低侵襲で皮内に投与することができる。
【符号の説明】
【００３５】
１    薬液注入針
５    経皮投薬装置
６    注射器
１０  薬液注入針本体
１１  針
１３  吐出口
【図１】
2014042616.tif 000003
【図２】
2014042616.tif 000004
【図３】
2014042616.tif 000005
【図４】
2014042616.tif 000006
【図５】
2014042616.tif 000007
【図６】
2014042616.tif 000008
【図７】
2014042616.tif 000009
【図８】
2014042616.tif 000010
【図９】
2014042616.tif 000011
【図１０】
2014042616.tif 000012